(57)【要約】【課題】  痴呆や事故などによる脳障害者の障害程度に応じてコンテンツを選択する介護支援システムを提供することで介護者を支援することを目的とする。【解決手段】  障害の程度に応じたコンテンツと、患者の脳障害の進行状況を診断するための設問コンテンツを含む評価用データとを格納するコンテンツデータベース２０と、コンテンツデータベース２０に格納されたコンテンツまたは設問コンテンツを提示するモニタと、設問コンテンツに基づく患者の回答を検出する音声認識装置１０５と、音声認識装置１０５の結果と評価用データに基づき患者の障害の程度を判断し、モニタに患者の障害の程度に対応したコンテンツを提示させるように制御するコンピュータ１０と、を備える。【選択図】  図２
2006277226.tif 000002
【特許請求の範囲】
【請求項１】
障害の程度に応じたコンテンツが格納された記憶手段と、患者の脳障害の進行状況を診断するための設問コンテンツを含む評価用データと、前記記憶手段に格納されたコンテンツまたは設問コンテンツを提示する提示手段と、この評価データに基づく患者の反応を検出する検出手段と、この検出手段の検出結果に基づき患者の障害の程度を判断し、この判断に応じて前記提示手段に患者の障害の程度に対応したコンテンツを提示させるように制御する制御手段と、を備えることを特徴とする障害程度に応じてコンテンツを選択する介護支援システム。
【請求項２】
前記評価用データは知能を評価するための設問コンテンツと、この設問コンテンツに対する正解データと、前記設問コンテンツに対する配点データ、この配点データの合計に対応して障害の程度を決める評価値とを備え、前記評価用データが前記記憶手段に格納されていることを特徴とする請求項１に記載の障害程度に応じてコンテンツを選択する介護支援システム。
【請求項３】
前記検出手段は、設問コンテンツに関する患者の回答を音声認識する音声認識手段であることを特徴とする請求項１または２に記載の障害程度に応じてコンテンツを選択する介護支援システム。
【請求項４】
前記制御手段は、前記音声認識で検出したデータと前記正解データとを照合し、その照合結果に応じて前記配点データを蓄積し、全ての評価の設問コンテンツが終了した時点での配点データの合計により患者の障害度の程度を判断することを特徴とする請求項３に記載の障害程度に応じてコンテンツを選択する介護支援システム。
【請求項５】
前記設問コンテンツを所定時間毎に前記提示手段に提示させ、逐次患者の症状を判断することを特徴とする請求項１ないし４のいずれかに記載の障害程度に応じてコンテンツを選択する介護支援システム。
【請求項６】
前記提示手段は、スピーカと表示装置とで構成されることを特徴とする請求項１ないし５のいずれかに記載の障害程度に応じてコンテンツを選択する介護支援システム。
【発明の詳細な説明】
【技術分野】
【０００１】
この発明は、障害程度に応じてコンテンツを選択する介護支援システムに係り、特に、痴呆や事故などによる脳障害者を介護する介護者を支援する介護支援システムに関するものである。
【背景技術】
【０００２】
痴呆や事故などによる脳障害者を介護する介護者を支援する目的で作成される「語りかけビデオ」というコンテンツが存在する。語りかけビデオは、「これは何ですか」「いっしょに体操をしましょう」「あなたは野球が好きですか」などのように、きわめて単純な問いかけや語りかけを行うビデオコンテンツである。比較的重い症状を伴った脳障害者に対して、ビデオへの集中を促し、徘徊などの危険行為を抑制したり、ビデオへの集中時間を作り出すことによって、介護者への自由時間を確保するなどの目的で利用されている。
【０００３】
また、脳障害者の昔のアルバムから作成したスライドショーに映像エフェクトを施し、ＢＧＭやナレーションを加え、視聴者にとって魅力的なコンテンツとして編集した「思い出ビデオ」が存在する。思い出ビデオは脳障害者に対して、ビデオ映像への集中を促し、徘徊などの危険行為を抑制したり、ビデオ映像への集中時間を作り出すことによって、脳障害者の問題行為の抑制のために心理的な安定を引き出したり、介護者の自由時間を確保する目的で提案され、その有効性が臨床の現場で報告されている（例えば、非特許文献１参照）。
【非特許文献１】安田清ほか：痴呆症者への思い出ビデの作成と集中度の評価、第２８回高次脳機能障害学会総会（２００４）
【発明の開示】
【発明が解決しようとする課題】
【０００４】
従来の語りかけビデオは比較的重い症状を伴った脳障害者を対象としたものであり、軽度脳障害者に対しては、内容が単純であることから「飽き」を生み、ビデオへの集中は期待できない。
【０００５】
これに対して、障害の程度に応じた内容のコンテンツを用意することも考えられる。しかし、軽度、中度、重度と障害の進行に応じてコンテンツを切り替える必要がある。さらに、長期的な症状の進行ばかりでなく、短期的な症状の変化に対しては、介護者が症状を判断し、その都度適切なコンテンツを提示する必要があるなど介護者への負担が生じることになる。
【０００６】
そこで、この発明は、痴呆や事故などによる脳障害者の障害程度に応じてコンテンツを選択する介護支援システムを提供することで介護者を支援することを目的とするものである。
【課題を解決するための手段】
【０００７】
この発明の介護支援システムは、障害の程度に応じたコンテンツが格納された記憶手段と、患者の脳障害の進行状況を診断するための設問コンテンツを含む評価用データと、前記記憶手段に格納されたコンテンツまたは設問コンテンツを提示する提示手段と、この評価データに基づく患者の反応を検出する検出手段と、この検出手段の検出結果に基づき患者の障害の程度を判断し、この判断に応じて前記提示手段に患者の障害の程度に対応したコンテンツを提示させるように制御する制御手段と、を備えることを特徴とする。
【０００８】
前記評価用データは知能を評価するための設問コンテンツと、この設問コンテンツに対する正解データと、前記設問コンテンツに対する配点データ、この配点データの合計に対応して障害の程度を決める評価値とを備え、前記評価用データが前記記憶手段に格納するように構成できる。
【０００９】
前記検出手段は、設問コンテンツに関する患者の回答を音声認識する音声認識手段で構成すればよい。
【００１０】
また、前記制御手段は、前記音声認識で検出したデータと前記正解データとを照合し、その照合結果に応じて前記配点データを蓄積し、全ての評価の設問コンテンツが終了した時点での配点データの合計により患者の障害度の程度を判断するように構成することができる。
【００１１】
更に、前記設問コンテンツを所定時間毎に前記提示手段に提示させ、逐次患者の症状を判断するように構成すればよい。
【００１２】
また、前記提示手段は、スピーカと表示装置とで構成することができる。
【発明の効果】
【００１３】
この発明によれば、患者に適切な映像、内容等のコンテンツがモニタ１に提示できるので、患者の「飽き」が低減し、患者をモニタ１に集中させておく時間が増え、介護者の自由時間の確保に貢献できる。また、前記設問コンテンツを所定時間毎に前記提示手段に提示させ、逐次患者の症状を判断するように構成することで、患者の障害度が変化してもその状態に合わせて適切なコンテンツを提供することができる。
【発明を実施するための最良の形態】
【００１４】
この発明の実施の形態について図面を参照しながら詳細に説明する。なお、図中同一または相当部分には同一符号を付し、説明の重複を避けるためにその説明は繰返さない。図１はこの発明の実施形態にかかる介護支援システムの構成を示すブロック図、図２は、この発明の介護支援システムにおけるコンピュータ１０の構成を中心にしたブロック図、図４は、知能障害診断に使われる評価スケールの一例を示す図、図５は、評価スケールの評価度判定に用いる結果を示す図である。
【００１５】
図１に示すこの発明の実施形態の介護支援システムは、パーソナルコンピュータ、ワークステーションのようなコンピュータ１０を含み、ＣＲＴ、液晶表示装置、プラズマディスプレイ装置、プロジェクタなどで構成されるモニタ（表示装置）１に表示させる映像のコンテンツを脳障害者の障害程度に応じて切り替えるものである。
【００１６】
コンピュータ１０には、コンテンツデータベース２０が接続されている。このコンテンツデータベース２０には、脳障害者の程度に応じたコンテンツデータが格納されている。例えば、これらコンテンツデータは、軽度脳障害者向けコンテンツ、中度脳障害者向けコンテンツ、やや重度な脳障害者用向けコンテンツ、非常に重度な障害者向けコンテンツ、共通コンテンツなどがある。
【００１７】
軽度脳障害者向けコンテンツとしては、時事ネタ、流行歌、簡単な計算問題、クイズ、ストレッチなどの全身運動を促す発話などがであり、これらコンテンツに対応する映像並びに音声データがコンテンツデータベース２０に格納されている。
【００１８】
中度脳障害者向けコンテンツとしては、気候や季節に関する話題、懐かしのソング、簡単なストレッチを促す発話などがあり、これらコンテンツに対応する映像並びに音声データがコンテンツデータベース２０に格納されている。
【００１９】
やや重度な脳障害者向けコンテンツとしては、身近なものを題材にした簡単な質問、手足を動かす簡単な運動を促す発話などがあり、これらコンテンツに対応する映像並びに音声データがコンテンツデータベース２０に格納されている。
【００２０】
非常に重度な脳障害者向けコンテンツとしては、きわめて単純な問いかけ、ごく簡単な運動を促す発話などがあり、これらコンテンツに対応する映像並びに音声データがコンテンツデータベース２０に格納されている。
【００２１】
また、共通コンテンツは、上記の軽度脳障害者向けコンテンツ、中度脳障害者向けコンテンツ、やや重度な脳障害者用向けコンテンツ、非常に重度な障害者向けコンテンツの４種類のコンテンツを組み合わせたコンテンツである。さらに、思い出ビデオなどのコンテンツも格納しても良い。
【００２２】
さらに、コンテンツデータベース２０には、知能障害診断法として用いられる図４に示すスケールの設問コンテンツが格納されている。図４に示すスケールは、知能障害診断法として用いられる改訂長谷川式簡易知能スケール（ＨＤＳ−Ｒ）である。このＨＤＳ−Ｒは、図４、図５に示すように、アンケート方式の設問により、評価値を算出し、脳障害者の程度を判断するもので、一般に普及した知能障害診断法として知られている。コンテンツデータベース２０に、図４に示すＨＤＳ−Ｒの設問からなるコンテンツ並びに設問ごとの正解データ、配点データ並びに図５に基づく評価基準用のデータが格納されている。
【００２３】
上記したそれぞれのコンテンツは、一つの話題、一つの語りかけ／問いかけごとに１コンテンツ数秒から１分程度のものをそれぞれ複数個準備している。また、ＨＤＳ−Ｒコンテンツは設問数が９であるから９コンテンツとなる。
【００２４】
コンピュータ１０には、マイク１２から患者の発話が与えられる。コンピュータ１０は、この発話を音声認識してテキスト化し、その認識結果に基づき患者の発話の内容を判断する。例えば、ＨＤＳ−Ｒの設問に対する患者の回答を認識し、その認識結果をコンテンツデータベース２０に格納された正解データと照合し、その照合結果を蓄積しておく。そして、回答が全て揃った時点で、コンピュータ１０はＨＤＳ−Ｒの評価値を計算し、その結果に基づき患者の脳障害の程度を図５に示すデータに従い判定する。
【００２５】
また、コンピュータ１０は、モニタ１のオン／オフ制御並びにモニタに内蔵されたスピーカの音量、スピーカに与える音声信号を供給する。
【００２６】
この発明の介護支援システムは、モニタ１にコンテンツを順次提示し、モニタ１への映像表示並びにモニタ１に内蔵のスピーカから音声出力をしながら、適当なタイミングでＨＤＳ−Ｒの設問コンテンツを提示し、患者から得られる回答に基づきコンピュータ１０が患者の脳障害の程度（暫時的あるいは一時的な進行）を自動的に判別する。そして、この判別結果に応じて、症状にあった適切なコンテンツをコンテンツデータベース２０より読み出し、モニタ１に提示するものである。この結果、患者に適切な映像、内容等のコンテンツがモニタ１に提示できるので、患者の「飽き」が低減し、患者をモニタ１に集中させておく時間が増え、介護者の自由時間の確保に貢献できる。
【００２７】
図２は、この発明の介護支援システムにおけるコンピュータ１０の構成を中心にしたブロック図である。この発明では、コンピュータ１０により、ユーザのモニタ１への集中度の判定、この判定に基づく映像コンテンツの切替を制御するものである。このシステムを構成するコンピュータ１０は、それぞれバス１１０に接続されたＣＰＵ（Ｃｅｎｔｒａｌ  Ｐｒｏｃｅｓｓｉｎｇ  Ｕｎｉｔ）１０１、起動用プログラムが格納されたＲＯＭ（Ｒｅａｄ  Ｏｎｌｙ  Ｍｅｍｏｒｙ）１０２、ワークメモリなどとして用いられるＲＡＭ（Ｒａｎｄｏｍ  Ａｃｃｅｓｓ  Ｍｅｍｏｒｙ）１０３、ハードディスクドライブ１０４を備える。
【００２８】
更に、このコンピュータ１０は、マイク１２からの音声データを取り込むための音声取り込み装置１０６を備え、音声取り込み装置１０６がバス１１０と接続されている。音声取り込み装置１０６は、取り込んだアナログの音声をデジタルに変換する。そのデジタル変換された音声データがバス１１０から音声認識装置１０５に与えられる。音声認識装置１０５は、与えられた音声データを認識してテキスト化し、そのテキストデータがバス１１０に与えられる。
【００２９】
更に、フロッピィディスク（ＦＤ）が装填され、データの読み取り／書き込みを行うフロッピィディスクドライブ（ＦＤＤ）装置１０７、ＣＤ−ＲＯＭ、ＤＶＤ−ＲＯＭ等の光ディスク装填され、光ディスクに格納されたソフトウェアなどのデータを読み込む光ディスクドライブ装置１０８を備え、これら両ドライブ１０７，１０８からのデータはバス１１０を介してハードディスクドライブ１０４などに与えられる。ＣＰＵ１０１からの制御信号は、インタフェース回路（Ｉ／Ｆ）１０９を介してコンテンツデータベース２０及びモニタ１に与えられる。さらに、コンテンツデータベース２０からのコンテンツのデータはインターフェース回路１０９から入力され、また、各コンテンツに基づくの映像、音声データはインタフェース回路１０９からモニタ１に与えられる。
【００３０】
この介護支援システムの動作は、コンピュータ１０のハードウェアとＣＰＵ１０１により実行されるソフトウェアとにより実現される。一般的にこのようなソフトウェアは、ＣＤ−ＲＯＭ、ＤＶＤ−ＲＯＭ、ＦＤ等の記憶媒体に格納されて流通し、光ディスクドライブ１０８、ＦＤＤ１０７等により、記憶媒体から読み取られ、ハードディスクドライブ１０４にそのソフトウェアが格納される。また、当該装置がネットワークに接続されている場合には、サーバからハードディスクドライブ１０４にソフトウェアが格納される。そして、ハードディスクドライブ１０４からＲＡＭ１０３に読み出されＣＰＵ１０１により実行される。
【００３１】
また、マイク１２からの音声データは音声取り込み装置１０６、バス１１０を経てＲＡＭ１０３及びハードディスクドライブ１０４に与えられる。音声認識装置１０５は、ＲＡＭ１０３及びハードディスクドライブ１０４に格納された音声データを読み出し、これら音声データ認識してテキスト化し、そのテキストデータがバス１１０からＲＡＭ１０３及びハードディスクドライブ１０４に与えられる。
【００３２】
上記したこの発明の実施形態の動作につき、図３のフローチャートに従い説明する。この支援システムの動作を開始すると、まず、モニタ１に初期コンテンツのデータを与え、患者に対して映像並びに音声を提示する（ステップＳ１）。この提示する初期コンテンツは、共通コンテンツが選ばれ、コンテンツデータベース２０よりコンピュータ１０が該当するコンテンツを読み出し、モニタ１に与える。
【００３３】
続いて、適当なタイミング（例えば１分間隔）で、図４に示すＨＤＳ−Ｒの設問コンテンツを提示するため、コンピュータ１０は、所定時間経過、この例では１分間経過するまで待機し（ステップＳ２）、所定時間経過すると、ステップＳ３において、モニタ１にＨＤＳ−Ｒの設問コンテンツのデータを与え、患者に対して設問に関する映像並びに音声を提示する。
【００３４】
次に、患者の回答を音声認識装置１０５で音声認識してテキスト化し（ステップＳ４）、そして、その結果をコンピュータ１０は、正解データと照合する（ステップＳ５）。即ち、音声認識された患者の回答はＲＡＭ１０４等に格納され、コンピュータ１０は、コンテンツデータベース２０に格納されている正解データと照合する。
【００３５】
照合された回答の判別結果と配点をコンピュータ１０はＲＡＭ１０４等に格納する（ステップＳ６）。このとき、コンピュータ１０は回答回数をＲＡＭ１０３等に記録する。続いて、次の設問コンテンツを設定する（ステップＳ７）。このステップにおいては、１つのサイクルごとに順次図４に示す９つの設問コンテンツを切り替える。そして、９つ全ての設問設定が終わると、１番目の設問に戻るように構成されている。
【００３６】
そして、コンピュータ１０は回答が９種類揃ったか否か判断し（ステップＳ７）、揃っていない場合には、ステップＳ１に戻り、前述の動作を繰り返す。そして、回答が９種類揃うと、ステップＳ９に進み、コンピュータ１０は、ＨＤＳ−Ｒの評価値を計算し、その評価値に基づきコンテンツデータベース２０から読み出したＨＤＳ−Ｒに基づく障害判別データと照合し、軽度／中度／やや重度／非常に重度等の障害の程度を判定する。
【００３７】
そして、ステップＳ１０において、判定した障害の程度に応じて、それぞれの症状に適したコンテンツをコンテンツデータベース２０から読み出し、モニタ１に該当するコンテンツのデータを与え、患者に対して映像並びに音声を提示する。この実施形態では、判断した患者の脳障害の程度が時間が経過した場合などに変わる場合も想定して、症状に対応したコンテンツを提示した以降も患者の症状の程度を測定する。このため、ステップＳ１０により、症状に該当するコンテンツを提示後、適当なタイミングで、図４に示すＨＤＳ−Ｒの設問コンテンツを提示する動作を行う。この設問コンテンツの提示は、初期コンテンツの提示の場合より長く、この例では３分間にしている。コンピュータ１０は３分間経過するまで待機し（ステップＳ１１）、所定時間経過すると、ステップＳ１１において、モニタ１にＨＤＳ−Ｒの設問コンテンツのデータを与え、ステップＳ１２において、患者に対して設問に関する映像並びに音声を提示する。
【００３８】
次に、患者の回答を音声認識してテキスト化し（ステップＳ１３）、そして、その結果をコンピュータ１０は正解データと照合する（ステップＳ１４）。
【００３９】
照合された回答の判別結果と配点をコンピュータ１０はＲＡＭ１０４等に格納する（ステップＳ１５）。続いて、次の設問コンテンツを設定する（ステップＳ１６）。
【００４０】
そして、コンピュータ１０は回答が９種類揃ったか否か判断し（ステップＳ１６）、揃っていない場合には、ステップＳ１０に戻り、前述の動作を繰り返す。そして、回答が９種類揃うと、ステップＳ１８に進み、コンピュータ１０は、ＨＤＳ−Ｒの評価値を計算し、障害の程度を判定する。そして、動作を終了するか否か判断され（ステップＳ１９）、終了する場合には全ての動作が終了する。終了しない場合には、ステップＳ１０に戻り、判定した障害の程度に応じて、それぞれの症状に適したコンテンツをコンテンツデータベース２０から読み出し、モニタ１に該当するコンテンツのデータを与え、患者に対して映像並びに音声を提示し、前述の動作を繰り返す。このように、逐次患者の症状を判断し、その都度患者の症状に応じたコンテンツに切り替える。
【００４１】
尚、上記した実施形態においては、コンテンツデータベース２０にコンテンツの映像並びに音声データを格納するように構成したが、コンテンツの映像並びに音声データ等をＤＶＤなどの記憶媒体に格納し、コンテンツランダムアクセス機能を有する映像再生装置を用いて、モニタ１にデータを提供するように構成しても良い。
【００４２】
また、上記した実施形態においては、コンテンツデータベース２０は、コンピュータ１０と別に用意しているが、コンピュータ１０内のハードディスクドライブ１０４にＤＶＤ−ＲＯＭやサーバなどから各種コンテンツを取り込み、各コンテンツデータを格納するように構成しても良い。
【００４３】
また、上記実施形態においては、映像と音声の両方を提示するように構成したが、音声データのみ提供するシステムにもこの発明は適用できる。
【００４４】
また、判定した脳障害の程度を判定時期とともにハードディスク１０４に格納するように構成しても良い。時期と程度を格納することで障害の進行度を把握することができる。
【００４５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００４６】
この発明は、脳障害者などを介護する施設などに用いることができる。
【図面の簡単な説明】
【００４７】
【図１】この発明の実施形態にかかる介護支援システムの構成を示すブロック図である。
【図２】この発明の介護支援システムにおけるコンピュータの構成を中心にしたブロック図である。
【図３】知能障害診断に使われる評価スケールの一例を示す図である。
【図４】評価スケールの評価度判定に用いる結果を示す図である。
【図５】評価基準用のデータを示す図である。
【符号の説明】
【００４８】
１  モニタ、１０  コンピュータ１０、１２  マイク  ２０  コンテンツデータベース。
【図１】
2006277226.tif 000003
【図２】
2006277226.tif 000004
【図３】
2006277226.tif 000005
【図４】
2006277226.tif 000006
【図５】
2006277226.tif 000007